(57)【要約】【課題】ユーザの利便性を確保しつつ、自動的にログアウト処理を実行することができる端末装置を提供する。【解決手段】ユーザのログイン後に、操作をしてしない時間である無操作状態時間が所定時間経過すると、自動的にログアウトまたは操作できない状態にする操作制御部と、無操作状態時間を計測する無操作時間計測部と、アプリケーション実行中に操作を行う必要のないアプリケーションを実行中であるか否かを判定する判定部と、判定部の判定の結果、アプリケーション実行中に操作を行う必要のないアプリケーションを実行中であると判定された場合に、該アプリケーションが終わるまで、無操作状態時間の計測を停止する計測停止部とを備えた端末装置である。【選択図】図１
2017215780.tif 000002
【特許請求の範囲】
【請求項１】
ユーザのログイン後に、操作をしてしない時間である無操作状態時間が所定時間経過すると、自動的にログアウトまたは操作できない状態にする操作制御部と、
前記無操作状態時間を計測する無操作時間計測部と、
アプリケーション実行中に操作を行う必要のないアプリケーションを実行中であるか否かを判定する判定部と、
前記判定部の判定の結果、アプリケーション実行中に操作を行う必要のないアプリケーションを実行中であると判定された場合に、該アプリケーションが終わるまで、前記無操作状態時間の計測を停止する計測停止部と
を備えた端末装置。
【請求項２】
ユーザのログイン後に、操作をしてしない時間である無操作状態時間が所定時間経過すると、自動的にログアウトまたは操作できない状態にする操作制御部と、
前記無操作状態時間を計測する無操作時間計測部と、
前記前記無操作状態時間が所定時間を経過または前記所定時間に近づいた時点で、利用を継続するか否かを問い合わせる確認画面を表示する確認画面表示部と、
前記確認画面に対する応答に応じて、利用を継続するか、自動的にログアウトまたは操作できない状態にするかを制御する制御部と
を備えた端末装置。
【請求項３】
前記確認画面に対する応答時に、ユーザが前記端末装置を継続して利用する時間である利用継続時間を設定する利用継続時間設定部をさらに備えた請求項２に記載の端末装置。
【請求項４】
ユーザのログイン後に、操作をしてしない時間である無操作状態時間が所定時間経過すると、自動的にログアウトまたは操作できない状態にする操作制御ステップと、
前記無操作状態時間を計測する無操作時間計測ステップと、
アプリケーション実行中に操作を行う必要のないアプリケーションを実行中であるか否かを判定する判定ステップと、
前記判定ステップの判定の結果、アプリケーション実行中に操作を行う必要のないアプリケーションを実行中であると判定された場合に、該アプリケーションが終わるまで、前記無操作状態時間の計測を停止する計測停止ステップと
を有するログアウト処理方法。
【請求項５】
ユーザのログイン後に、操作をしてしない時間である無操作状態時間が所定時間経過すると、自動的にログアウトまたは操作できない状態にする操作制御ステップ、
前記無操作状態時間を計測する無操作時間計測ステップと、
前記前記無操作状態時間が所定時間を経過または前記所定時間に近づいた時点で、利用を継続するか否かを問い合わせる確認画面を表示する確認画面表示ステップと、
前記確認画面に対する応答に応じて、利用を継続するか、自動的にログアウトまたは操作できない状態にするかを制御する制御ステップと
を有するログアウト処理方法。
【請求項６】
コンピュータを、請求項１から３のいずれか一項に記載の端末装置として機能させるためのログアウト処理プログラム。
【発明の詳細な説明】
【技術分野】
【０００１】
本発明は、共用で使用する端末装置を自動的にログアウトする端末装置、ログアウト処理方法及びログアウト処理プログラムに関する。
【背景技術】
【０００２】
従来から、金融機関の店頭や窓口に設置される端末装置のように複数のユーザによって共用される端末装置が知られている。共用端末装置においては、セキュリティを確保するために、使用開始時にログイン、終了時にログアウトを行って、ユーザの認識、限定を行って管理されている。このような共用の端末装置においては、ログイン後、操作が検出されない時間が所定時間以上である場合、他者の不正利用を防ぐように強制的にログアウト処理が行われる（例えば、特許文献１参照）。
【先行技術文献】
【特許文献】
【０００３】
【特許文献１】特開平０５−１０１０９０号公報
【発明の概要】
【発明が解決しようとする課題】
【０００４】
ところで、共用端末装置が動画などのコンテンツの視聴を行えるものであった場合、コンテンツを視聴している際には入力操作を行わないのが一般的である。そのため、コンテンツ視聴途中で無操作時間が所定時間を超える場合が生じ、コンテンツ視聴途中で強制ログアウトとなってしまう状況が発生してしまうという問題がある。
【０００５】
本発明は、このような事情に鑑みてなされたもので、ユーザの利便性を確保しつつ、自動的にログアウト処理を実行することができる端末装置、ログアウト処理方法及びログアウト処理プログラムを提供することを目的とする。
【課題を解決するための手段】
【０００６】
本発明の一態様は、ユーザのログイン後に、操作をしてしない時間である無操作状態時間が所定時間経過すると、自動的にログアウトまたは操作できない状態にする操作制御部と、前記無操作状態時間を計測する無操作時間計測部と、アプリケーション実行中に操作を行う必要のないアプリケーションを実行中であるか否かを判定する判定部と、前記判定部の判定の結果、アプリケーション実行中に操作を行う必要のないアプリケーションを実行中であると判定された場合に、該アプリケーションが終わるまで、前記無操作状態時間の計測を停止する計測停止部とを備えた端末装置である。
【０００７】
本発明の一態様は、ユーザのログイン後に、操作をしてしない時間である無操作状態時間が所定時間経過すると、自動的にログアウトまたは操作できない状態にする操作制御部と、前記無操作状態時間を計測する無操作時間計測部と、前記前記無操作状態時間が所定時間を経過または前記所定時間に近づいた時点で、利用を継続するか否かを問い合わせる確認画面を表示する確認画面表示部と、前記確認画面に対する応答に応じて、利用を継続するか、自動的にログアウトまたは操作できない状態にするかを制御する制御部とを備えた端末装置である。
【０００８】
本発明の一態様は、前記端末装置であって、前記確認画面に対する応答時に、ユーザが前記端末装置を継続して利用する時間である利用継続時間を設定する利用継続時間設定部をさらに備えた。
【０００９】
本発明の一態様は、ユーザのログイン後に、操作をしてしない時間である無操作状態時間が所定時間経過すると、自動的にログアウトまたは操作できない状態にする操作制御ステップと、前記無操作状態時間を計測する無操作時間計測ステップと、アプリケーション実行中に操作を行う必要のないアプリケーションを実行中であるか否かを判定する判定ステップと、前記判定ステップの判定の結果、アプリケーション実行中に操作を行う必要のないアプリケーションを実行中であると判定された場合に、該アプリケーションが終わるまで、前記無操作状態時間の計測を停止する計測停止ステップとを有するログアウト処理方法である。
【００１０】
本発明の一態様は、ユーザのログイン後に、操作をしてしない時間である無操作状態時間が所定時間経過すると、自動的にログアウトまたは操作できない状態にする操作制御ステップ、前記無操作状態時間を計測する無操作時間計測ステップと、前記前記無操作状態時間が所定時間を経過または前記所定時間に近づいた時点で、利用を継続するか否かを問い合わせる確認画面を表示する確認画面表示ステップと、前記確認画面に対する応答に応じて、利用を継続するか、自動的にログアウトまたは操作できない状態にするかを制御する制御ステップとを有するログアウト処理方法である。
【００１１】
本発明の一態様は、コンピュータを、請求項１から３のいずれか一項に記載の端末装置として機能させるためのログアウト処理プログラムである。
【発明の効果】
【００１２】
本発明によれば、ユーザの利便性を確保しつつ、自動的にログアウト処理を実行することができるという効果が得られる。
【図面の簡単な説明】
【００１３】
【図１】本発明の第１の実施形態による共用端末装置の構成を示すブロック図である。
【図２】図１に示す共用端末装置の動作を示すフローチャートである。
【図３】本発明の第２の実施形態による共用端末装置の構成を示すブロック図である。
【図４】図３に示す共用端末装置の動作を示すフローチャートである。
【図５】画面遷移の具体例を示す説明図である。
【発明を実施するための形態】
【００１４】
＜第１の実施形態＞
以下、図面を参照して、本発明の第１の実施形態による端末装置を説明する。図１は同実施形態による共用端末装置１０の構成を示すブロック図である。第１の実施形態による共用端末装置１０は、動画再生等の無操作時間が長い状況において、強制ログアウトが実行されてしまうことを防止することができる。共用端末装置１０は、コンピュータ装置によって構成する。
【００１５】
図１に示す共用端末装置１０は、制御部１、入力部２、表示部３、画像バッファ４、アプリケーション実行部５、無操作時間計測部６、ログアウト実行部８及び記憶部９を備える。共用端末装置１０は、インターネット等のネットワークＮに対して、無線通信または有線通信によって接続可能である。
【００１６】
制御部１は、共用端末装置１０を統括して制御を行う。入力部２は、アプリケーションの実行を指示したり、ユーザが応答操作を行う。表示部３は、動画を再生したり、ユーザに対して応答を求める応答画面の表示を行う。入力部２と表示部３はタッチパネルのように一体になっていてもよい。以下の説明では、入力部２と表示部３は一体になったタッチパネルであるものとして説明する。
【００１７】
画像バッファ４は、ネットワークＮから配信された画像等を一時記憶する。アプリケーション実行部５は、共用端末装置１０において実行可能なアプリケーションの実行を行う。無操作時間計測部６は、入力部２において、操作が行われていない時間（無操作時間）を計測する。
【００１８】
ログアウト実行部８は、無操作時間が所定時間継続した場合に強制的にログアウトを行う。記憶部９は、所定時間継続したか否かを判定するために必要な閾値を記憶する。
【００１９】
次に、図２を参照して、図１に示す共用端末装置１０の動作を説明する。図２は、図１に示す共用端末装置１０の動作を示すフローチャートである。まず、ユーザは、共用端末装置１０にログインし、入力部２を操作して、アプリケーションを実行を指示する。
【００２０】
これを受けて、アプリケーション実行部５は、アプリケーションを実行する（ステップＳ１）。例えば、動画再生のアプリケーションを実行する。動画再生のアプリケーションを実行した場合、ネットワークＮを介して動画をダウンロードし、画像バッファ４に一時記憶しながらダウンロードした動画を表示部３に表示する。無操作時間計測部６は、アプリケーション実行の操作が終わると、無操作時間の計測を開始する（ステップＳ２）。なお、動画データの送信は、ダウンロードの形式に限定される必要は無い。例えば、ストリーミングの形式で動画データの送信が行われてもよい。
【００２１】
次に、制御部１は、実行されたアプリケーションが無操作のアプリケーションであるか否かを判定する（ステップＳ３）。この判定の結果、無操作のアプリケーション（例えば動画再生のアプリケーション）であれば、制御部１は、無操作時間計測部６に対して、時間計測を停止するように指示する。これを受けて、無操作時間計測部６は、時間計測を停止する（ステップＳ４）。
【００２２】
次に、アプリケーション実行部５は、アプリケーションの実行が終了したかを判定しながら（ステップＳ５）、アプリケーションの実行終了を待つ。そして、アプリケーションの実行が終了したら、ステップＳ１に戻って処理が繰り返される。
【００２３】
一方、無操作のアプリケーションでなければ、制御部１は、入力部２において操作がなされたか否かを判定する（ステップＳ６）。そして、操作が行われた場合、制御部１は、無操作時間計測部６に対して、時間計測をリセットするように指示する。これを受けて、無操作時間計測部６は、計測時間をリセットして（ステップＳ７）、ステップＳ６に戻って処理を繰り返される。
【００２４】
次に、入力部２において操作が行われた場合、制御部１は、無操作時間計測部６における計測時間を確認する（ステップＳ８）。そして、制御部１は、記憶部９に記憶されている閾値と、計測時間とを比較し、閾値の計測時間を超えたか否かを判定する（ステップＳ９）。この判定の結果、超えていなければステップＳ６に戻って処理が繰り返される。
【００２５】
一方、計測時間が閾値を超えていれば、制御部１は、ログアウト実行部８に対して、ログアウトに実行を指示する。これを受けて、ログアウト実行部８は、強制的にログアウトを行う。
【００２６】
このように、無操作のアプリケーションであるか否かを判定し、無操作のアプリケーションを実行中である場合は、無操作時間の計測を停止し、アプリケーションの実行が終わるまで待つようにしたため、動画等を再生中に、強制的にログアウトが実行されてしまうことを防止することができる。
【００２７】
＜第２の実施形態＞
次に、本発明の第２の実施形態による端末装置を説明する。図３は同実施形態による共用端末装置２０の構成を示すブロック図である。この図において、図１に示す共用端末装置と同一の部分には同一の符号を付し、その説明を省略する。図３に示す共用端末装置２０が、図１に示す共用端末装置１０と異なる点は、新たに確認画面表示部７が設けられている点である。確認画面表示部７は、無操作時間が所定の時間（閾値）を超えた場合に、その後の動作について確認を行う画面を表示する。
【００２８】
次に、図４を参照して、図３に示す共用端末装置２０の動作を説明する。図４は、図３に示す共用端末装置２０の動作を示すフローチャートである。まず、ユーザは、共用端末装置に２０のログインし、入力部２を操作して、アプリケーションを実行を指示する。
【００２９】
これを受けて、アプリケーション実行部５は、アプリケーションを実行する（ステップＳ２１）。例えば、動画再生のアプリケーションを実行する。無操作時間計測部６は、アプリケーション実行の操作が終わると、無操作時間の計測を開始する（ステップＳ２２）。
【００３０】
次に、制御部１は、入力部２において操作がなされたか否かを判定する（ステップＳ２３）。そして、操作が行われた場合、制御部１は、無操作時間計測部６に対して、時間計測をリセットするように指示する。これを受けて、無操作時間計測部６は、計測時間をリセットして（ステップＳ２４）、ステップＳ２３に戻って処理が繰り返される。
【００３１】
次に、入力部２において操作が行われた場合、制御部１は、無操作時間計測部６における計測時間を確認する（ステップＳ２５）。そして、制御部１は、記憶部９に記憶されている閾値と、計測時間とを比較し、閾値の計測時間を超えたか否かを判定する（ステップＳ２６）。この判定の結果、超えていなければステップＳ２３に戻って処理が繰り返される。
【００３２】
次に、閾値を計測時間が超えていた場合、アプリケーション実行部５は、アプリケーションの実行が終了したかを判定する（ステップＳ２７）。この判定の結果、アプリケーションの実行が終了していれば、ステップＳ２１に戻って処理が繰り返される。
【００３３】
一方、実行が終了していなければ、確認画面表示部７は、確認画面を表示部３に表示する（ステップＳ２８）。この確認画面には、共用端末装置２０の利用を継続するか否かを問い合わせるメッセージが表示される。確認画面には、例えば、「１０分後に聞く」、「２０分後に聞く」、「３０分後に聞く」、「終了する」の４つのタッチキーが表示部３に表示される。
【００３４】
ここで、ユーザは、４つのタッチキーのうち、１つのキーをタッチする。「１０分後に聞く」キーがタッチされた場合は、１０分という閾値が記憶部９に記憶される。同様に、「２０分後に聞く」キーがタッチされた場合は、２０分という閾値が記憶部９に記憶され、「３０分後に聞く」キーがタッチされた場合は、３０分という閾値が記憶部９に記憶される。この閾値は、ステップＳ２６の所定時間として用いられる。
【００３５】
次に、制御部１は、「終了する」キーがタッチされたか否かを判定する（ステップＳ２２９）。この判定の結果、「終了する」キーがタッチされた場合は、ログアウト実行部８は、ログアウトを実行し処理を終了する。
【００３６】
一方、「終了する」キー以外がタッチされた場合、制御部１は、無操作時間計測部６に対して、計測時間をリセットを指示する。これを受けて、無操作時間計測部６は計測時間をリセットして（ステップＳ３０）、ステップＳ２３に戻って処理が繰り返される。
【００３７】
次に、図５を参照して、画面の具体例を挙げて説明する。図５は、画面の具体例を示す説明図である。図５において、画面３１は、ユーザ認証しログイン直後のホーム画面である。この画面に対して、「ＶＯＤ（Video On Demand）」キー３２をタッチすると、画面３３において、動画再生が始まる。そして、ＶＯＤ視聴中に所定時間（記憶部９に記憶されている初期の閾値）経過すると、画面３４が表示される。
【００３８】
ここで、ユーザは、４つのキー３５〜３８のいずれかにタッチする。ユーザが、「××分後に聞く」キー３５をタッチすると、次に、画面３４を表示するのを××分（例えば、１０分）後に再び画面３４が表示される。同様に、ユーザが、「○○分後に聞く」キー３６をタッチすると、次に、画面３４が○○分（例えば、２０分）後に再び表示される。また、ユーザが、「△△分後に聞く」キー３８をタッチすると、次に、画面３４が△△分（例えば、３０分）後に再び表示される。一方、ユーザが、「終了する」キー３８をタッチすると、動画再生が終了し、ログアウトされる。
【００３９】
また、前述した説明では、所定時間経過するとログアウトする例を説明したが、ログアウトすることなく、操作をできない状態とするようにしてもよい。この場合、再び操作を再開したい場合は、現在ログインしているユーザの認証を再び行い認証された場合のみに操作ができるように移行するようにしてもよい。
【００４０】
なお、図５に示す画面３４に、「動画再生後終了する」キーを設け、このキーをタッチすると、現在再生されている動画を再生後、ログアウトまたは操作をできない状態とするようにしてもよい。
【００４１】
以上説明したように、無操作時間を計測するタイマー機能を持ち、ユーザログイン後、ユーザによる操作が検出されない時間が所定時間以上経過した場合に強制的にログアウト処理を実行する端末において、コンテンツ再生のような無操作を前提としたアプリケーション機能の実施操作を受け付ける。そして、無操作時間を計測するタイマーを停止し、指定されたコンテンツを再生し、コンテンツ再生終了時にタイマーによる無操作時間計測を再び開始させる。
【００４２】
共用端末装置において、コンテンツ再生機能の実施操作を受け付けた時に、指定されたコンテンツを再生し、タイマーによる無操作時間が所定時間に近づいた際に、利用者にその旨を伝える確認画面を表示する。そして、視聴を続ける指示が入力された場合に、タイマーを停止し、コンテンツ再生終了時にタイマーによる無操作時間計測を開始させる。確認画面表示後、無操作のままで所定時間に至った場合、または確認画面表示後にログアウト指示が入力された場合には、強制ログアウトを行う。なお、確認画面とその応答は複数回繰り返されてもよい。
【００４３】
また、共用端末装置において、再生途中で一時停止指示の操作が行われた場合には、タイマーによる無操作時間計測を開始させ、そのまま所定時間に至った場合には、強制ログアウト確認画面を表示させるようにしてもよい。また、図４を参照した前述の説明では、所定時間を超えた時点で、確認画面を表示するようにしたが、所定時間が近づいた（すなわち、所定時間前）時点で確認画面を表示するようにしてもよい。また、確認画面が表示された状態で、所定時間経過した場合は、自動的にログアウトまたは操作ができない状態となるようにしてもよい。また、前述した説明では、共用端末装置として説明したが、必ずしも共用の端末装置ではなく、個人専用の端末装置であってもよい。
【００４４】
このように、ユーザのコンテンツ視聴を確保できるとともに、ユーザが途中で端末装置から離れてしまった場合等に、他ユーザが不正にアクセスすることを防ぐことができる。
【００４５】
前述した実施形態における共用端末装置の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００４６】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【産業上の利用可能性】
【００４７】
ユーザの利便性を確保しつつ、自動的にログアウト処理を実行することが不可欠な用途に適用できる。
【符号の説明】
【００４８】
１０、２０・・・共用端末装置、１・・・制御部、２・・・入力部、３・・・表示部、４・・・画像バッファ、５・・・アプリケーション実行部、６・・・無操作時間計測部、７・・・確認画面表示部、８・・・ログアウト実行部、９・・・記憶部、Ｎ・・・ネットワーク
【図１】
2017215780.tif 000003
【図２】
2017215780.tif 000004
【図３】
2017215780.tif 000005
【図４】
2017215780.tif 000006
【図５】
2017215780.tif 000007